(57)【特許請求の範囲】
【請求項１】
光源からの光を透過させる表示体を有する透過表示セルと、外光を反射する反射板と前記表示体とを有する反射表示セルの表示パネル上の表示面積の割合が、前記透過表示セルに対して前記反射表示セルの方が少ない割合となるように、前記透過表示セルと前記反射表示セルとが配置されてなる表示部と、
前記透過表示セルを第１の駆動周期で駆動する第１の駆動回路と、
前記反射表示セルを、前記第１の駆動周期よりも遅い第２の駆動周期で駆動する第２の駆動回路とを備え、
前記第１の駆動回路は、前記第２の駆動回路が駆動されていない期間に駆動され、
前記第１の駆動回路には、高解像度な第１の映像信号が入力され、前記第２の駆動回路には、前記第１の駆動回路に入力される映像信号の解像度よりも低い解像度を有する、前記第１の映像信号とは異なる第２の映像信号が入力され、
前記第２の駆動回路は、前記第１の駆動回路が駆動されていない期間中連続的に前記反射表示セルを駆動して、前記第２の映像信号よりなる画像を、当該反射表示セルに表示させる
表示装置。
【請求項２】
前記光源としてのバックライトをさらに備え、
前記第１の駆動回路は、前記バックライトの点灯時に駆動され、前記第２の駆動回路は、前記バックライトの非点灯時に駆動される
請求項１に記載の表示装置。
【請求項３】
前記反射表示セルの大きさは、前記透過表示セルの複数個分の大きさとされる
請求項２に記載の表示装置。
【請求項４】
前記反射表示セルが有する反射板は、全反射板である
請求項３に記載の表示装置。
【請求項５】
前記第２の駆動回路は、前記第２の映像信号を前記反射表示セルに静止画像として表示させ、前記反射表示セルに表示させる静止画像を、所定の時間間隔で切り替える
請求項４に記載の表示装置。
【発明の詳細な説明】
【技術分野】
【０００１】
本発明は、表示装置に関し、特に、光源からの光を利用した透過表示と、外光の反射光を利用した反射表示の両方を行う技術に関する。
【背景技術】
【０００２】
従来、表示装置として、画面背面に配置されたバックライトからの光を透過又は遮断して表示を行う透過型表示装置や、外光を光源としてその反射光を利用して表示を行う反射型表示装置が知られている。透過型表示装置は、彩度が高く、暗い環境下でも画面が見易いという特徴があり、反射型表示装置は、消費電力が少なく、屋外のような明るい環境下でも画面が見易いという特徴がある。
【０００３】
また、透過型表示装置と反射型表示装置の両方の特徴を併せ持つ表示装置として、半透過型表示装置が知られている。半透過型表示装置は、外光のある場所では外光を反射して表示する一方で、暗い場所ではバックライトを用いて表示を行う。例えば特許文献１には、透過型の表示を行う透過表示領域と反射型の表示を行う反射表示領域とが１つの画素内に設けられた半透過型表示装置が記載されている。
【先行技術文献】
【特許文献】
【０００４】
【特許文献１】特開２００９−９３１１５号公報
【発明の概要】
【発明が解決しようとする課題】
【０００５】
ところが、１つの画素もしくはセル内に透過表示領域と反射表示領域とを設けることで、透過型と反射型のいずれか一方の表示方式で表示を行う際に使用される画素のサイズが、従来の１／２となってしまう。つまり、表示される画像の画質が落ちてしまう。
【０００６】
本発明はかかる点に鑑みてなされたものであり、透過型の表示を行う際の表示性能を保ちつつ、反射型の表示も行えるようにすることを目的とする。
【課題を解決するための手段】
【０００７】
本発明の表示装置は、表示部と、第１の駆動回路と、第２の駆動回路とを備える構成とし、各部の構成及び機能を次のようにする。表示部は、光源からの光を透過させる表示体を有する透過表示セルと、外光を反射する反射板と表示体とを有する反射表示セルの表示パネル上の表示面積の割合が、透過表示セルに対して反射表示セルの方が少ない割合となるように、透過表示セルと反射表示セルとが配置されてなる。第１の駆動回路は、第１の駆動周期で透過表示セルを駆動する。第２の駆動回路は、第１の駆動周期よりも遅い第２の駆動周期で反射表示セルを駆動する。また、第１の駆動回路と第２の駆動回路は、第２の駆動回路が駆動されていない期間に駆動され、第１の駆動回路には高解像度な第１の映像信号が入力され、第２の駆動回路には、第１の駆動回路に入力される映像信号の解像度よりも低い解像度を有する、第１の映像信号とは異なる第２の映像信号が入力される。さらに、第２の駆動回路は、第１の駆動回路が駆動されていない期間中連続的に反射表示セルを駆動して、第２の映像信号よりなる画像を、当該反射表示セルに表示させる。
【０００８】
本発明の表示装置によれば、透過表示を行う透過部と反射表示を行う反射部とが、セルの単位で設けられる。これにより、透過型と反射型のいずれか一方の表示方式で表示を行う際に使用される画素のサイズが落ちることがなくなる。
【発明の効果】
【０００９】
本発明によれば、透過型の表示を行う際の表示性能を保ちつつ、反射型の表示も行えるようになる。
【図面の簡単な説明】
【００１０】
【図１】本発明の一実施形態例による表示装置の概略構成例を示す図である。
【図２】本発明の一実施形態例による表示装置の内部構成例を示すブロック図である。
【図３】本発明の一実施形態例による透過型液晶部の構成例を示す回路図である。
【図４】本発明の一実施形態例による反射型液晶部の構成例を示す回路図である。
【図５】本発明の一実施形態例による表示パネルの構成例を示す断面図である。
【図６】本発明の一実施形態例による表示パネルの製造方法を示すフローチャートである。
【図７】本発明の一実施形態例による表示パネルの１層目と２層目の形成例を示す断面図であり、図７Ａは１層目の形成例を示し、図７Ｂと図７Ｃは２層目の形成例を示す。
【図８】本発明の一実施形態例による表示パネルの３層目４層目の形成例を示す断面図であり、図８Ｄは３層目の形成例を示し、図８Ｅと図８Ｆは４層目の形成例を示す。
【図９】本発明の一実施形態例による表示パネルの５層目の形成例を示す断面図である。
【図１０】本発明の一実施形態例による表示パネルの６層目と７層目の形成例を示す断面図であり、図１０Ｉと図１０Ｊは６層目の形成例を示し、図１０Ｋは７層目の形成例を示す。
【発明を実施するための形態】
【００１１】
本発明の実施形態例に係る表示装置について、図面を参照しながら説明する。図１は、本実施形態における表示装置１００の概略構成を示す説明図である。図１の左側には、表示装置１００の外観図を示している。表示装置１００は、アクティブマトリクス方式で駆動される液晶ディスプレイとして構成され、表示部としての表示パネル１０を有する。表示パネル１０は、不図示のバックライトを光源として用いて表示を行う透過型液晶部１１と、外光の反射光を利用して表示を行う反射型液晶部１２とで構成される。
【００１２】
図１の右側には、表示パネル１０のうちの３×３画素分の領域の拡大図を示している。図１の右側に示すように、拡大して示した領域の２／３の領域には透過型液晶部１１が配置され、残りの１／３の領域には反射型液晶部１２が配置されている。
【００１３】
拡大表示された透過型液晶部１１内には、透過型の表示を行う透過表示画素Ｐ１が６つ配置されている。各透過表示画素Ｐ１は、Ｒ（赤）のサブピクセルＳＰ１ｒ，Ｇ（緑）のサブピクセルＳＰ１ｇ，Ｂ（青）のサブピクセルＳＰ１ｂの、３つのサブピクセルＳＰよりなる。ＲのサブピクセルＳＰ１ｒは、ＲのカラーフィルタＦｒが貼り付けられた透過表示セル１１１ｒで構成され、ＧのサブピクセルＳＰ１ｇは、ＧのカラーフィルタＦｇが貼り付けられた透過表示セル１１１ｇで構成される。ＢのサブピクセルＳＰ１ｂは、ＢのカラーフィルタＦｂが貼り付けられた透過表示セル１１１ｂで構成される。
【００１４】
反射型液晶部１２には、反射型の表示を行う反射表示画素Ｐ２が１つ配置されている。反射表示画素Ｐ２も、３つのサブピクセルＳＰ２ｒ，ＳＰ２ｇ，ＳＰ２ｂよりなる。ＲのサブピクセルＳＰ２ｒは、ＲのカラーフィルタＦｒが貼り付けられた透過表示セル１２１ｒで構成され、ＧのサブピクセルＳＰ２ｇは、ＧのカラーフィルタＦｇが貼り付けられた透過表示セル１２１ｇで構成される。ＢのサブピクセルＳＰ２ｂは、ＢのカラーフィルタＦｂが貼り付けられた透過表示セル１２１ｂで構成される。反射表示画素Ｐ２においては、１つのサブピクセルＳＰ２（反射表示セル１２１）の大きさを、透過型液晶部１１のサブピクセルＳＰ１（透過表示セル１１１）３つ分の大きさとしている。
【００１５】
すなわち、透過表示画素Ｐ１が６個に対して、反射表示画素Ｐ２が１個の割合で配置されている。この比率は、拡大表示された領域以外の領域においても同様であるものとする。
【００１６】
本実施形態例による表示装置１００では、動画像や画像を表示する通常の使用形態においては、不図示のバックライトが点灯され、透過表示画素Ｐ１によるバックライトの透過光を用いた表示が行われる。表示装置１００の電源がオフされた時など、バックライトの非点灯時には、反射表示画素Ｐ２によって、外光の反射光を利用した表示が行われる。図１の左側の画面上に示した幾何学模様は、透過表示画素Ｐ１が６個に対して１個設けられた反射表示画素Ｐ２によって、外光の反射光を利用して表示されているものである。
【００１７】
このような画像を、バックライトの非点灯時に表示パネル１０上に表示させることで、表示装置１００の電源がオフにされたときに、画面全面が黒となる状態を回避できる。電源オフ時に表示パネル１０の画面全面が黒くなると、ユーザは、部屋の中に大きな黒い壁が出現したような違和感や、圧迫感を感じてしまう。近年では、表示装置１００の表示パネル１０の大型化が進んでおり、５０インチや６０インチ等の大きな画面を有する表示装置１００が、室内に配置される機会も増えてきている。そして、画面が大きくなるほど、全面黒の画面がユーザに与える圧迫感も大きくなるものと考えられる。
【００１８】
全面が黒色の画面の代わりに、図１の左側に示したような幾何学模様のような画像が画面に表示されることになれば、画面が部屋全体のインテリアに調和するようになる。つまり、表示装置１００の画面がインテリアの一部としても機能する。本実施形態例では、このような、外光の反射光を利用して表示する画像（以下、「反射表示画像」と称する）を、所定の時間間隔で切り替えて表示する。
【００１９】
反射表示画像の解像度を、例えば標準解像度であるＶＧＡ（６４０×４８０画素）とした場合には、その解像度分だけ反射表示画素Ｐ２を配置すればよいことになる。表示パネル１０の解像度が例えば２１０万画素である場合には、反射表示画素Ｐ２を、画面全体に対して約１６％程度、すなわち３５万画素程度配置すればよい。画素の配置比率に換算すると、透明表示画素Ｐ１が６個に対して、反射表示画素Ｐ２が１個の割合となる。
【００２０】
反射表示画像をどのような解像度で表示するかは、例えば表示パネル１０の大きさと、最適視聴距離に基づいて決定することができる。最適視聴距離とは、表示画面を視聴する場合に最適とされる視聴距離のことであり、目安として、表示パネル１０の画面の高さの約３倍の距離が推奨されている。表示パネル１０の大きさが例えば６０インチである場合には、最適視聴距離は２〜３ｍとなる。６０インチの表示画面を２〜３ｍ離れた位置から視聴する視聴形態においては、ＶＧＡ程度の解像度があれば、反射表示画像の画質も所定のレベルを維持できるものと考えられる。
【００２１】
ただし、反射表示画素Ｐ２は外光の反射光を光源として利用して表示を行うものであり、反射表示画素Ｐ２によって表示される反射表示画像は、照度の低い少ない低輝度領域内で表現される。このような低輝度領域においては、視聴する対象物の明るさの変化がある程度大きくないと、人間は対象物の明るさの変化を知覚することができないことが知られている。この原理は、「ウェーバー・フェヒナーの法則」という経験的法則によって導き出されたものである。「ウェーバー・フェヒナーの法則」とは、人間が知覚する明るさの強度は、刺激として人間の目に届く光の照度の対数に比例するという法則である。
【００２２】
例えば、１００ｃｄ／ｍ２の輝度領域では１０ｃｄ／ｍ２の輝度変化を認識できるのに対して、１０ｃｄ／ｍ２の輝度領域では、輝度変化が３ｃｄ／ｍ２程度ないと人間はその変化を認識することができない。したがって、低輝度領域を使用して表示を行う反射型液晶部１２では、輝度変化が大きい画像を表示する必要がある。そして、輝度変化が大きい画像を表示するためには、反射表示画素Ｐ２で表現できる輝度の上限を上げる必要がある。このため、本実施形態例では、外光の反射量の増大を目的として、反射表示画素Ｐ２を、透過表示画素Ｐ１の３つ分の大きさで構成している。
【００２３】
なお、透過表示画素Ｐ１と反射表示画素Ｐ２の配置比率や、反射表示画素Ｐ２のサイズは、反射表示させる画像の解像度として設定された値の大きさや、反射表示させる画像の図柄や色合い、表示パネル１０の解像度等に応じて、任意の比率を設定することが可能である。
【００２４】
このように構成した表示パネル１０においては、反射表示画像の表示切り替えを行う間隔としては、１分に１回程度が最適であると考えられる。１０秒に１回程度まで切り替え速度を速くすることも可能であるが、その分、表示パネル１０の消費電力も増大する。
【００２５】
反射表示画像は、模様がある程度粗く、かつ色度の高い色で表現されたものであることが好ましい。例えば、「デジタル掛け軸」の呼称で表現されるコンテンツを適用することができる。
【００２６】
次に、図２を参照して、表示装置１００の内部構成について説明する。図２に示す表示装置１００は、表示パネル１０を備える。表示パネル１０は、前述したように、透過型液晶部１１と反射型液晶部１２（いずれも図１参照）よりなり、透過型液晶部１１の駆動回路（第１の駆動回路）として、透過型液晶信号出力回路２１ｄと、透過型液晶走査回路２１ｓとが設けられている。反射型液晶部１２の駆動回路（第２の駆動回路）としては、反射型液晶信号出力回路２２ｄと、反射型液晶走査回路２２ｓとが設けられている。
【００２７】
透過型液晶走査回路２１ｓは、表示パネル１０内の各透過表示画素Ｐ１（図１参照）に接続される不図示のゲートラインを駆動する。透過型液晶信号出力回路２１ｄには、高解像度映像信号入力部３０ｈから出力された、例えばＦｕｌｌ−ＨＤ（１９２０×１０８０画素）等の高解像度の映像信号が入力される。
【００２８】
反射型液晶走査回路２２ｓは、表示パネル１０内の各反射表示画素Ｐ２（図１参照）に接続される不図示のゲートラインを駆動する。反射型液晶信号出力回路２２ｄには、標準解像度映像信号入力部３０ｎから出力された、例えばＶＧＡ等の標準解像度の映像信号が入力される。
【００２９】
動画像や静止画像を表示する通常の使用形態においては、透過型液晶走査回路２１ｓと透過型液晶信号出力回路２１ｄのみが駆動されることにより、透過型液晶部１１内の透過表示画素Ｐ１による、バックライトの光を利用した表示が行われる。表示待機時等、バックライトの非点灯時には、反射型液晶走査回路２２ｓと反射型液晶信号出力回路２２ｄのみが駆動されることにより、反射型液晶部１２内の反射表示画素Ｐ２による、外光の反射光を利用した表示が行われる。
【００３０】
図３は、透過型液晶部１１の回路構成を示す図である。図３においては、説明を簡単にするため、サブピクセルＳＰの１つのみを取り出して表記している。透過型液晶部１１内の透過表示画素Ｐ１は、画素電極１ｔと、ＴＦＴ（Thin Film Transistor）２とを含む。画素電極１ｔは透明電極として構成され、積層される不図示の液晶層内の液晶分子を駆動する。
【００３１】
画素電極１ｔ内には、絶縁膜３を介してコンデンサ４が設けられている。各ＴＦＴ２のソース電極はソース線Ｌｓに接続され、ゲート電極はゲート線Ｌｇに接続されている。また、各ＴＦＴ２のドレイン電極は、各画素電極１ｔ及びコンデンサ４に接続されている。各ソース線Ｌｓは、透過型液晶信号出力回路２１ｄの入力端に接続され、この透過型液晶信号出力回路２１ｄから映像信号が電圧として印加される。各ゲート線Ｌｇは透過型液晶走査回路２１ｓの入力端に接続され、この透過型液晶走査回路２１ｓから走査信号が順次供給される。
【００３２】
透過型液晶信号出力回路２１ｄから各画素電極１ｔに印加された電圧は、コンデンサ４によって保持され、コンデンサ４の充放電は、スイッチングデバイスとしてのＴＦＴ２によってスイッチング制御される。
【００３３】
図４は、反射型液晶部１２の回路構成を示す図である。図４において、図３と対応する箇所には同一の符号を付してあり、重複する説明は省略する。図４に示す反射型液晶部１２の回路構成において、図３に示した透過型液晶部１１の回路構成と異なる点は、反射画素Ｐ２の画素電極１ｒの大きさである。本実施の形態例では、反射表示画素Ｐ２の画素電極１ｒを、透過表示画素Ｐ１の３つ分の領域をカバーする大きさとしている。
【００３４】
図５は、表示パネル１０の断面構成を示した断面図である。図５の上方が画面の前面側であり、下方が背面側である。図５に示す断面図のｘ方向は、図１の右側に示した拡大領域のｘ方向と対応しており、ｙ方向は、拡大領域のｚ方向に対応する。透過型液晶部１１と反射型液晶部１２とで、バックライト１１０と偏光板１３０と偏光板１７０と導光板１８０とは共通のものを使用しているが、その他の構成はそれぞれ別なものを各々独立して使用している。
【００３５】
透過型液晶部１１は、バックライト１１０と、導光板１２１と、偏光板１３０と、透過型液晶用透明電極１４１と、透過型液晶層１５１と、透過型液晶用透明電極１６１と、偏光板１７０と、導光板１８０とが８層積層されている。１層目のバックライト１１０は光源と拡散板等よりなり、光を出射する。２層目の導光板１２１は、透明プラスチック板等よりなり、バックライトからの光を上段の透過型液晶層１５１に導く。３層目の偏光板１３０は、導光板１２１によって導かれたバックライト１１０の光の中から、垂直方向の成分のみを有する直線偏光を通過させる。
【００３６】
４層目の透過型液晶用透明電極１４１は、透明導電膜上に、図３に示した画素電極１ｔとＴＦＴ２、ソース線Ｌｓ、ゲート線Ｌｇが形成されてなる。５層目の透過型液晶層１５１は、不図示の２枚のガラス基板の間に、表示体としての液晶が封止されてなる。透過型液晶層１５１内の液晶分子は、透過型液晶用透明電極１４１より電圧が印加されることによりその配列方向が変わる。液晶分子の配列方向が変わることで、液晶による光の透過率が変化する。６層目の透過型液晶用透明電極１６１は、対向電極として構成される。
【００３７】
７層目の偏光板１７０は、入射される光のうち、バックライト１１０の照射光のみを通過させる。バックライト１１０の照射光は、透過型液晶層１５１を通過することで偏光方向が９０度回転されるため、偏光板１７０は、その偏光方向が９０度回転された光のみを通過させる。８層目の導光板１８０は、偏光板１７０を通過した光を、画面の前面の方向に導いて外部に出力する。
【００３８】
このように構成した透過型液晶部１１が、透過型液晶信号出力回路２１ｄ及び透過型液晶走査回路２１ｓ（図２，３参照）によって駆動されることにより、透過型液晶層１５１を通過するバックライト１１０の光によって、画像が表示される。
【００３９】
反射型液晶部１２は、バックライト１１０と、全反射板１２２と、偏光板１３０と、反射型液晶用透明電極１４２と、反射型液晶層１５２と、反射型液晶用透明電極１６２と、偏光板１７０と、導光板１８０とが８層積層されている。偏光板１３０と、偏光板１７０と、導光板１８０とは、透過型液晶部１１と共通に使用するものであるため、説明は省略する。
【００４０】
全反射板１２２は、画面の前面側から入射した光を全反射する反射板である。反射型液晶層１５２は、透過型液晶層１５１と同一の構成とされる。反射型液晶用透明電極１６２も、透過型液晶用透明電極１６１と同様の構成とされるが、前述したように、１画素のサイズが、透過型液晶部１１における１画素の３倍の大きさである点のみが異なる。
【００４１】
このように構成した反射型液晶部１２が、反射型液晶信号出力回路２２ｄ及び反射型液晶走査回路２２ｓによって駆動されることにより、反射型液晶層１５２を通過する外光の反射光によって、画像が表示される。
【００４２】
続いて、図６〜図１０Ｋを参照して、表示装置１００の表示パネル１０の製造方法について説明する。図６は、表示パネル１０の製造工程を示すフローチャートである。図７Ａ〜図１０Ｋは、図６に示した各製造工程における表示パネル１０の構成を示す断面図である。
【００４３】
図６に示す製造工程では、まず、図７Ａに示すようにバックライト１１０を配置する（ステップＳ１）。そして、図７Ｂに示すように、透過型液晶部１１が形成される領域をマスクして、反射型液晶部１２の形成領域に、蒸着によって全反射板１２２を生成する（ステップＳ２）。
【００４４】
続いて、図７Ｃに示すように、全反射板１２２の形成領域をマスクして、全反射板１２２の形成領域以外の領域に導光板１２１を貼り付ける（ステップＳ３）。そして、図８Ｄに示すように、導光板１２１と全反射板１２２とが形成された領域の全面に、偏光板１３０を貼り付ける（ステップＳ４）。次に、図８Ｅに示すように、透過型液晶部１１の領域をマスクした上で、反射型液晶部１２の領域に、反射型液晶用透明電極１４２をパターン形成する（ステップＳ５）。その後は、図８Ｆに示すように、反射型液晶用透明電極１４２の形成領域をマスクして、透過型液晶用透明電極１４１をパターン形成する（ステップＳ６）。
【００４５】
次に、図９Ｇに示すように、透過型液晶用透明電極１４１の形成領域をマスクして、反射型液晶層１５２を生成し（ステップＳ７）、続いて、図９Ｈに示すように、反射型液晶層１５２の形成領域をマスクして透過型液晶層１５１を生成する（ステップＳ８）。
【００４６】
次に、図１０Ｉに示すように、透過型液晶層１５１の形成領域をマスクして反射型液晶用透明電極１６２をパターン形成し（ステップＳ９）、続いて、図１０Ｊに示すように、反射型液晶用透明電極１６２の形成領域をマスクして、透過型液晶用透明電極１６１をパターン形成する（ステップＳ１０）。
【００４７】
次に、図１０Ｋに示すように透過型液晶用透明電極１６１と反射型液晶用透明電極１６２が形成された領域の全面に偏光板１７０を貼り付け（ステップＳ１１）、偏光板１７０の上に導光板１８０を貼り付ける（ステップＳ１２）。導光板１８０が取り付けられた表示パネル１０の完成形は、図５に示した通りとなる。
【００４８】
なお、図６に示したフローチャートでは、反射型液晶部１２、透過型液晶部１１の順に各部材を形成した例を挙げたが、逆の順番で行ってもよい。また、図６に示したフローチャートでは、バックライト１１０を最初に配置したが、バックライト１１０を最後に取り付けるようにしてもよい。
【００４９】
上述した本実施形態例によれば、表示装置１００のバックライト１１０の非点灯時に、反射表示画素Ｐ２によって反射表示画像が表示される。これにより、表示パネル１０の画面が全面黒になってしまうことによる圧迫感をなくすことができる。また、反射表示画像として、洗練された画像や好みの画像を表示パネル１０に表示することができるため、表示装置１００を、インテリアを向上させるツールの１つとして使用することもできるようになる。
【００５０】
また、上述した実施形態例によれば、透過表示画素Ｐ１の個数として、全画面の約８５％強程度の個数が確保されるため、通常の視聴形態で表示パネル１０に表示される画像の画質も殆ど劣化することがない。
【００５１】
また、上述した実施形態例によれば、反射表示画像の表示中はバックライト１１０を点灯する必要がないため、消費される電力は各駆動回路の駆動電力のみとなる。これにより、計算上では消費電力を１／１０以下に低減できる。
【００５２】
また、上述した実施形態例によれば、表示パネル１０全体に占める透過表示画素Ｐ１の割合も、反射表示画素Ｐ２が設けられた分だけ少なくなる。透過表示画素Ｐ１の物理的な個数が減ることで、表示パネル１０内に設けられたコンデンサ４の全容量も低減する。これにより、透過表示画素Ｐ１による表示を行っている際の液晶駆動用の電力が減るため、結果的に消費電力も低減される。
【００５３】
また、本実施形態例による反射表示画素Ｐ２の反射型液晶層１５２を、例えば酸化物半導体のＩＧＺＯを用いて構成すれば、反射表示画素Ｐ２による表示を行っている際の消費電力を、完全にゼロにすることができる。
【００５４】
また、本実施形態例によれば、透過型液晶部１１を構成する各部材と、反射型液晶部１２を構成する各部材を、それぞれ別の工程で生成することが可能となる。そして、それらを組み立てることで、表示装置１００を容易に構成できる。例えば、従来の半透過型の表示パネルでは、透過表示を行う透過部と反射表示を行う反射部を１つの画素内に設けられているため、製造工程が複雑となる。また、本実施形態例の反射型液晶用透明電極（画素電極）は、透過型に比べて１つの画素サイズが大きいため、真空蒸着でなくエッチングで形成することも可能となる。本実施形態例によれば、単純な工程かつ低コストで、反射表示画像の表示も行える透過型の表示装置１００が提供される。
【００５５】
また、従来の半透過型の表示パネルは、１つの画素内に透過部と反射部とが両方設けられるため、反射電極を形成可能な領域の面積も非常に狭くなる。これにより、台形の形状で形成される反射電極の台形の、下辺に対する上辺の割合が、非常に少なくなる。このため、台形の斜辺の長さも長くなり、その部分で乱反射が起きやすくなる。このような乱反射は画質低下の原因となるが、本実施形態例によれば、反射型液晶用透明電極１４２は１画素の領域に形成されるため、台形の斜辺の長さも短くなる。したがって、表示パネル１０に表示される画像の画質も劣化することがない。
【００５６】
なお、上述した実施形態例では、図５に示したように、透過型液晶用透明電極１４１と反射型液晶用透明電極１４２とを、同一の層（第４層）に形成した例を挙げたが、これに限定されるものではない。透過表示画素Ｐ１のみが配置された透過型液晶用透明電極１４１と、反射表示画素Ｐ２のみが配置された反射型液晶用透明電極１４２とを形成し、これらを積層してもよい。透過型液晶用透明電極１６１と反射型液晶用透明電極１６２についても同様である。このように製造することで、製造工程をより簡略化することができる。
【００５７】
また、上述した実施形態例では、反射型液晶部１２に全反射板１２２を設けた例を挙げたが、これに限定されるものではない。全反射板１２２の代わりに、半透過反射板（膜）を設けてもよい。
【００５８】
また、上述した実施形態例では、反射型液晶部１２にもバックライト１１０を設ける例を挙げたが、反射型液晶部１２にはバックライト１１０を設けないようにしてもよい。
【００５９】
また、上述した実施形態例では、反射型液晶部１２で反射表示画像を表示する際にはバックライト１１０を点灯させない例を挙げたが、反射表示画像の表示を行う際にもバックライト１１０を点灯させてもよい。
【００６０】
また、上述した実施形態例では、液晶の駆動方式としてアクティブマトリクス形式を用いた例を挙げたが、これに限定されるものではない。パッシブマトリクス方式等の他の駆動方式に適用してもよい。
【００６１】
また、上述した実施形態例では、画素を制御するスイッチングデバイスとして、ＴＦＴ２を用いた例を挙げたが、これに限定されるものではなく、メタルインシュレータメタル（ＭＩＭ）等の他の素子を用いてもよい。
【００６２】
また、上述した実施形態例では、透過表示画素Ｐ１と反射表示画素Ｐ２とを液晶で構成した例を挙げたが、これに限定されるものではない。例えば、透過表示画素Ｐ１を有機ＥＬ（Electro Luminescence）で構成してもよい。また、入射した光を遮断可能な分子の配列を実現可能な素子であれば、反射表示画素Ｐ２の表示体として、液晶以外の素子を用いてもよい。
【符号の説明】
【００６３】
１ｒ，１ｔ…画素電極、２…ＴＦＴ、３…絶縁膜、４…コンデンサ、１０…表示パネル、１１…透過型液晶部、１２…反射型液晶部、２１ｄ…透過型液晶信号出力回路、２１ｓ…透過型液晶走査回路、２２ｄ…反射型液晶信号出力回路、２２ｓ…反射型液晶走査回路、３０ｈ…高解像度映像信号入力部、３０ｎ…標準解像度映像信号入力部、１００…表示装置、１１０…バックライト、１１１，１１１ｂ，１１１ｇ，１１１ｒ…透過表示セル、１２１…導光板、１２１ｂ，１２１ｇ，１２１ｒ…反射表示セル、１２２…全反射板、１３０…偏光板、１４１…透過型液晶用透明電極、１４２…反射型液晶用透明電極、１５１…透過型液晶層、１５２…反射型液晶層、１６０…偏光板、１６１…透過型液晶用透明電極、１６２…反射型液晶用透明電極、１７０…偏光板、１８０…導光板
【要約】
【課題】透過型の表示を行う際の表示性能を保ちつつ、反射型の表示も行えるようにする。
【解決手段】表示部１０は、光源からの光を透過させる表示体を有する透過表示セル１１１ｒ，１１１ｇ，１１１ｂと、外光を反射する反射板と表示体とを有する反射表示セル１２１ｒ，１２１ｇ，１２１ｂとが、透過表示セルに対して反射表示セルの方が少ない割合で配置されてなる。第１の駆動回路は、透過表示セルを駆動する。第２の駆動回路は、反射表示セルを駆動する。
【選択図】図１【図２】
0005425328.tif 000002
【図３】
0005425328.tif 000003
【図４】
0005425328.tif 000004
【図５】
0005425328.tif 000005
【図６】
0005425328.tif 000006
【図７】
0005425328.tif 000007
【図８】
0005425328.tif 000008
【図９】
0005425328.tif 000009
【図１０】
0005425328.tif 000010
【図１】
0005425328.tif 000011